(57)【要約】【課題】  騒音公害や町の美観を損なうことなく、駆除効果を上げるようにした鳥獣害防除装置を提供すること。【解決手段】  本発明の鳥獣害防除装置は、点滅する光源３を有する発光部１と、人物の顔写真９、図形または模様を有する標章部２とを具備している。【選択図】        図１
2006304626.tif 000002
【特許請求の範囲】
【請求項１】
点滅する光源を有する発光部と、人物の顔写真、図形または模様を有する標章部とを具備したことを特徴とする鳥獣害防除装置。
【請求項２】
前記光源は発光ダイオードからなり、該光源は、湾曲面を有する透明カバー内に収納されていることを特徴とする請求項１記載の鳥獣害防除装置。
【請求項３】
前記標章部は、人物の顔写真を貼り付けるボード、または、人物の顔写真を収納する額縁を有し、前記発光部は、前記ボードまたは額縁の横に並んで設けられていることを特徴とする請求項１または２記載の鳥獣害防除装置。
【請求項４】
前記標章部は、人物の顔写真を貼り付けるボード、または、人物の顔写真を収納する額縁を有し、前記ボードまたは額縁は、平面視六角形の各辺の一つ飛びの辺に立設状に配置され、
前記発光部は、前記ボードまたは額縁が配置されていない前記六角形の各辺に配置されていることを特徴とする請求項１または２記載の鳥獣害防除装置。
【請求項５】
前記標章部は、人物の顔写真を貼り付けるボード、または、人物の顔写真を収納する額縁を有し、前記ボードまたは額縁は、平面視六角形の各辺の一つ飛びの辺に立設状に配置され、
前記ボードまたは額縁が配置されていない前記六角形の各辺には透明部材が設けられ、該六角形の中心部に前記発光部が配置されていることを特徴とする請求項１または２記載の鳥獣害防除装置。
【発明の詳細な説明】
【技術分野】
【０００１】
本発明は、鳥獣害防除装置に関する。
【背景技術】
【０００２】
この種の鳥獣害防除装置としては、下記に示す如く各種のものが公知である。
例えば、特許文献１(特開平１１−１９２０４７号公報)に記載のものは、対象となる動物への外的作用として、フラッシング光を用い、視覚神経を通じて生体レベルでの生化学的干渉を行い、対象動物の機能障害を誘発させるものであった。
【０００３】
特許文献２（特開平８−８９１５３号公報)に記載の従来技術は、発光ダイオードを有する発光抗状物を用い、夜間に発光ダイオードを赤色点滅させることにより、野生動物に警戒心を呼び起こすようにしたものであった。
【０００４】
特許文献３(特開平１０−２１０９１９号公報)に記載の従来のものは、電源装置と、表面が錐面状の反射面となされた反射器と、その反射面の頂点を通る垂線上に、反射面の頂点に向けて配置された発光ダイオードと、電源装置からの電力を発光ダイオードに供給し、発光ダイオードを点滅発光させるコントロール部とから構成し、発光ダイオードの点滅光を前記反射器の錐面状の反射面で反射させて外部に拡散放射させるものであった。そして、この発光ダイオードの点滅光を小動物に視認させて恐怖心を与え、その小動物の侵入を防止するものであった。
【０００５】
特許文献４(特開平１１−９１７１号公報)に記載の公知技術は、携帯可能な大きさの基板上に配列された複数個のＬＥＤと、これらのＬＥＤを非同期状態で点滅させる点滅制御回路と、この点滅制御回路及びＬＥＤを駆動するバッテリとを備えるものであった。
【０００６】
また、特許文献５（実開昭６３−５８５７８号公報）に記載のものは、光と音声等を併用して撃退するものであった。
【０００７】
特許文献６（特開２００５−５８０９２号公報）には、カラスの模造品等を吊り下げてカラスを撃退する装置も提案されている。
【特許文献１】特開平１１−１９２０４７号公報
【特許文献２】特開平８−８９１５３号公報
【特許文献３】特開平１０−２１０９１９号公報
【特許文献４】特開平１１−９１７１号公報
【特許文献５】実開昭６３−５８５７８号公報
【特許文献６】特開２００５−５８０９２号公報
【発明の開示】
【発明が解決しようとする課題】
【０００８】
前記特許文献１乃至４の従来の各技術は、発光ダイオードの点滅光等を用い、それぞれ特徴を有するが、今ひとつ防除効果がないものであった。
【０００９】
特許文献５記載のものは、光と音声等を併用して撃退する方法のため、街中では騒音公害になる恐れがある。
【００１０】
また、特許文献６記載のものは、カラスの模造品等を吊り下げてカラスを撃退する装置であるが、街中に設けたのでは、街の美観を損なう恐れがあった。
【００１１】
そこで、本発明は、騒音公害や町の美観を損なうことなく、駆除効果を上げるようにした鳥獣害防除装置を提供することを目的とする。
【課題を解決するための手段】
【００１２】
前記目的を達成するため、本発明は、次の手段を講じた。即ち、本発明の鳥獣害防除装置の特徴とするところは、点滅する光源を有する発光部と、人物の顔写真、図形または模様を有する標章部とを具備した点にある。
【００１３】
人に被害を与える動物は、一般的に賢い動物である。特にカラスは、非常に目が良く、記憶力が良い。したがって、人間の顔も姿も良く覚えている。そこで、本願発明者は、鋭意研究の結果、点滅光源と人間の顔写真を併用すれば、動物撃退の効果を上げることを見出した。なお、顔写真に限らず、図形または模様でも同等の効果を上げることができる。
【００１４】
前記光源は発光ダイオードからなり、該光源は、湾曲面を有する透明カバー内に収納されているのが好ましい。
【００１５】
前記標章部は、人物の顔写真を貼り付けるボード、または、人物の顔写真を収納する額縁を有し、前記発光部は、前記ボードまたは額縁の横に並んで設けられているのが好ましい。
【００１６】
また、前記標章部は、人物の顔写真を貼り付けるボード、または、人物の顔写真を収納する額縁を有し、前記ボードまたは額縁を、平面視六角形の各辺の一つ飛びの辺に立設状に配置し、前記発光部を、前記ボードまたは額縁が配置されていない前記六角形の各辺に配置することができる。
【００１７】
さらに、前記標章部は、人物の顔写真を貼り付けるボード、または、人物の顔写真を収納する額縁を有し、前記ボードまたは額縁を、平面視六角形の各辺の一つ飛びの辺に立設状に配置し、前記ボードまたは額縁が配置されていない前記六角形の各辺には透明部材を設け、該六角形の中心部に前記発光部を配置することもできる。
【発明の効果】
【００１８】
本発明によれば、騒音公害を出さず、また町の美観を損なうことなく、鳥獣害防除を行うことができる。
【発明を実施するための最良の形態】
【００１９】
以下、本発明の実施の形態を図面に基づき説明する。
図１に示す鳥獣害防除装置は、鳥類、主としてカラスを対象としたものであり、発光部１と標章部２とを具備している。この装置は、据え置き型として構成され、発光部１と標章部２とは左右方向に並べて近接して設けられている。
【００２０】
図２にも示す如く、前記発光部１は、光源３と、該光源３に電力を供給する電源部４とからなる。電源部４には、単三の乾電池５を着脱自在に収納できるように構成されている。乾電池５は３本収納できるようにされているが、本数は限定されるものではない。電源部４にはスイッチ６が設けられ、該スイッチ６を操作することにより、光源３への電力供給がオン・オフされる。
【００２１】
前記光源３は、点滅するものである。この実施の形態では、光源３として赤色点滅発光ダイオード（ＬＥＤ）が用いられている。発光ダイオードのリード線７が電源部４から立設されている。この発光ダイオードは指向性を有し、図１の正面（図２では左手）に向かって光が出るように配置されている。具体的には、この赤色点滅発光ダイオードとして、ＳＤＬ−５Ｍ３ＳＯＬＩＣの規格５Ｖ２０ｍＡ５Φの透明カプセル型を用いた。
【００２２】
前記光源３は、湾曲面を有する透明カバー８内に収納されている。このカバー８は、ドーム型に形成され、前記電源部４に着脱自在にねじ込まれ、または着脱自在に嵌着されている。このドーム型カバー８は、透明樹脂またはガラスから形成されている。光源３は湾曲ドームのほぼ中心部に配置され、光はドームの外に直進するものと、ドームの内面に反射し、外部から見るとその反射光が光源以外から複数見えるものとがある。
【００２３】
前記湾曲面を有する透明カバー８は、断面円形のドーム型に断面六画形状などの多面体で覆っても良い。即ち湾曲面と多面体で形成され、全体的に湾曲形状を呈していればよく、要するに、光源３の光は直進して遠方まで到達するものと、乱反射するものとに分かれる。
【００２４】
前記透明カバー８は、ペットボトルの廃品を再利用することにより形成することができる。即ち、ペットボトルの底部を切断し、キャップ側の部分を利用し、肩部の曲面を湾曲面として利用することができる。
【００２５】
前記光源３の指向性は、カバー８を開いて、手動により、上下方向、左右方向にリード線７を屈曲させることにより調整することが出来る。
【００２６】
なお、光源３としてはそれ自体が点滅発光するものではなく、前記電源部４において点滅制御されるものであっても良い。また電源部４はＤＣ電源に限らず、ＡＣ電源に接続されるものであっても良い。
【００２７】
前記標章部２は、人物の顔写真９を有する。この顔写真９を貼り付けるためのボード、または、この顔写真９を収納するための額縁１０を有する。この実施の形態では額縁１０が例示されている。この額縁１０に前記発光部１の電源部４が取付けられている。
【００２８】
前記額縁１０の大きさは、縦２０ｃｍ、横１５ｃｍ程度のものである。また顔写真９は、この額縁いっぱいに顔が入る大きさに引き伸ばしされたものが好ましい。この顔写真は、この装置を設置する建物、地域に関連ある人物であるのが好ましい。
【００２９】
この装置は、部屋のガラス戸の内側に置かれる。または軒下に置かれる。カラスがきたらすぐ追い払う。追い払うには脅しの一つとして本発明の点滅光源３を使う。発光部１の隣に人物の顔写真９の標章部２があるので、カラスは、追い払う人物とこの写真の人物とを認識して学習し、恐怖心をもって、撃退される。これを繰り返すことにより、人物が存在しないときでも、標章部２が存在するので、カラスは近づかなくなり、撃退することができる。
【００３０】
即ち、本装置を用いて、カラスに恐怖心を抱かせ、追い払うのである。人間が怒って行動を起こしていることを、カラスに学習させるのである。その学習において、本発明の標章部が有効に機能している。
【００３１】
本装置の設置場所は、人が住んでいる建屋で、２階以上のフロアに２室を用意する。建屋の中心から二方向がよい。例えば、南向きのＳ室と東向きのＥ室を用意する。カラスの侵入路で視界の広いＳ室(スペアの部屋）と、カラスの目標点(ごみ収集場所）の見えるＥ室（を寝室にする）との２室のガラス窓ごしに設置する。そしてカラスがくれば、本装置を作動させると共に、人がその部屋からカラスを追い払う。この追い払いを繰り返すことにより、カラスは学習し、接近することはなくなる。その後は、本装置を作動させておくことでカラスを撃退することができる。
【００３２】
図３に示すものは、本発明の他の実施の形態であり、吊下げフック１１を有する吊り下げ型とされている。この実施の形態では、中央に発光部１が設けられ、その左右両側に標章部２が設けられている。
【００３３】
図４に、前記発光部１の詳細が示されている。この実施の形態では壁面などの前面における吊り下げ式とされているので、発光部１の厚みが薄くされている。即ち、透明カバー８は半球状に形成され、壁面１２に着脱自在に取付けられている。この壁面１２は、凹面鏡のような反射鏡とすることが好ましい。この実施の形態では、差込コンセント１３を有し、ＡＣ電源から電力を得るように構成されている。あるいは図２のように、乾電池から電力を得ても良い。その他の構成は、前記実施の形態とほぼ同じである。また、標章部２の構成は、図１に示すものとほぼ同じである。
【００３４】
図５及び図６に示すものは、本発明の他の実施の形態である。この実施の形態では、支柱１４に設けられた載置台１５上に本装置が設けられている。本装置は農場や、ごみ集積場所などの屋外において設置されるのが好ましいものである。
【００３５】
本装置において、前記標章部２は、人物の顔写真９を貼り付けるボード１０、または、人物の顔写真９を収納する額縁１０を有し、前記ボードまたは額縁１０は、平面視六角形の各辺の一つ飛びの辺に立設状に配置されている。
【００３６】
前記ボードまたは額縁１０が配置されていない六角形の各辺には透明部材１６が設けられ、該六角形の中心部に前記発光部１が配置されている。
【００３７】
前記透明部材１６はガラスまたは透明樹脂の平板によって形成されているが、湾曲面に形成されたものであっても良い。
【００３８】
前記発光部１は、透明部材１６に対応する位置に光源３を有し、この光源３は点滅発光ダイオードから構成されている。光源３は上下に複数個設けられ、この実施の形態では２個設けられている。これら光源３を覆うようにドーム型透明カバー１７(図６の仮想線で示すもの）を設る。このカバー１７は、断面円形で、さらに多面体で覆っても良い。
【００３９】
なお、前記載置台１５の底部には鳥よけ用磁石１８をつけるとよい。
その他の構成は、前記実施の態様とほぼ同じである。
【００４０】
図７に示すものは、本発明の他の実施の態様であり、六角形の中心部に設けられた発光部１が縦軸芯周りに回転するように構成したものである。この発光部１の光源３の背面に凹面鏡の反射鏡１９が設けられ、この光源部３と反射鏡１９とを前記ドーム型カバー(図示省略）で覆う。光源３と反射鏡１９とドーム型カバー１７が共に回転するように構成されている。
【００４１】
その他の構成は、前記実施の形態に示したものと同じである。
図８に示すものは、前記図７のＡ矢視図であり、光源３として点滅発光ダイオードが３個設けられている態様を示している。光源３を複数設けることにより、より輝度を高められる。
【００４２】
なお、この光源３をドーム型カバー１７を含めて図８の中心における軸心周り、即ち、図７の縦軸芯ではなく、横軸芯周りに回転するように構成しても良い。
【００４３】
図９に示すものは、本発明の他の実施の形態である。この実施の形態では、前記標章部２は、人物の顔写真９を貼り付けるボード１０、または、人物の顔写真９を収納する額縁１０を有し、前記ボードまたは額縁１０は、平面視六角形の各辺の一つ飛びの辺に立設状に配置されている。
【００４４】
前記発光部１は、前記ボードまたは額縁１０が配置されていない六角形の各辺に配置されている。この発光部１として、図２や図４に示すものが用いられている。
【００４５】
なお、本発明は、前記実施の形態に示すものに限定されるものではない。例えば、前記載置台は回転自在に構成しても良い。実施例としては主として額縁について説明したが、ボードであっても良く、その他の手段であってもよい。また、人物の顔写真について説明したが、顔写真に代わる絵やその他の図形、模様であっても良い。顔写真と同等の効果を上げられる標章であればよい。
【００４６】
また、光源として発光ダイオードに限定されない。発光色も赤色に限らず、対象動物に適したものであれば良い。また、対象動物は、カラスに限定されるものではない。
【産業上の利用可能性】
【００４７】
本発明は、鳥獣害防除装置製造産業において利用できる。
【図面の簡単な説明】
【００４８】
【図１】本発明の鳥獣害防除装置の実施の形態を示す正面図である。
【図２】発光部の側面図である。
【図３】本発明の鳥獣害防除装置の他の実施の形態を示す正面図である。
【図４】図３において用いられている発光部の側面図である。
【図５】本発明の鳥獣害防除装置の他の実施の形態を示す正面図である。
【図６】図５の平面図である。
【図７】本発明の他の実施の形態を示す平面図である。
【図８】光源を示す、図７のＡ矢視図である。
【図９】本発明の他の実施の形態を示す平面図である。
【符号の説明】
【００４９】
１  発光部、２  標章部、３  光源、８  カバー、９  人物の顔写真、１０  額縁またはボード。
【図１】
2006304626.tif 000003
【図２】
2006304626.tif 000004
【図３】
2006304626.tif 000005
【図４】
2006304626.tif 000006
【図５】
2006304626.tif 000007
【図６】
2006304626.tif 000008
【図７】
2006304626.tif 000009
【図８】
2006304626.tif 000010
【図９】
2006304626.tif 000011